(57)【要約】【課題】音響出力装置において、出力部の駆動開始時における回路オフセットに起因したポップ音の出力を抑制する。【解決手段】音響出力装置は、音響を出力する出力部と、外部から受けた音響信号を増幅し、増幅した音響信号に応じた音響が前記出力部から出力されるように、前記出力部を駆動する駆動部とを備え、前記駆動部は、前記出力部を駆動し始めるときに、前記駆動部のゲインが小さな値から徐々に又は連続的に大きくなるように制御される機能を有する。【選択図】図１
2010147607.tif 000002
【特許請求の範囲】
【請求項１】
音響を出力する出力部と、
外部から受けた音響信号を増幅し、増幅した音響信号に応じた音響が前記出力部から出力されるように、前記出力部を駆動する駆動部と、
を備え、
前記駆動部は、前記出力部を駆動し始めるときに、前記駆動部のゲインが小さな値から徐々に又は連続的に大きくなるように制御される機能を有する
ことを特徴とする音響出力装置。
【請求項２】
前記駆動部は、
差動増幅器と、
前記駆動部のゲインを決定するように、前記差動増幅器の負入力端子と正出力端子との間に接続された第１の可変抵抗器と、
前記駆動部のゲインを決定するように、前記差動増幅器の正入力端子と負出力端子との間に接続された第２の可変抵抗器と、
前記駆動部のゲインを決定するように、前記差動増幅器の負入力端子と前記第１の可変抵抗器とに一端が接続された第３の可変抵抗器と、
前記駆動部のゲインを決定するように、前記差動増幅器の正入力端子と前記第２の可変抵抗器とに一端が接続された第４の可変抵抗器と、
を含み、
前記駆動部は、前記第３の可変抵抗器の抵抗値と前記第１の可変抵抗器の抵抗値とに応じたゲイン及び前記第４の可変抵抗器の抵抗値と前記第２の可変抵抗器の抵抗値とに応じたゲインのそれぞれが、前記出力部が駆動され始めるときに、徐々に又は連続的に大きくなるように制御され、これにより、前記駆動部のゲインが小さな値から徐々に又は連続的に大きくなるように制御される機能を有する
ことを特徴とする請求項１に記載の音響出力装置。
【請求項３】
前記駆動部は、前記第３の可変抵抗器の抵抗値と前記第４の可変抵抗器の抵抗値とが、一定の値に維持されるように制御され、前記第１の可変抵抗器及び前記第２の可変抵抗器のそれぞれの抵抗値が、前記出力部が駆動され始めるときに、徐々に又は連続的に大きくなるように制御され、これにより、前記駆動部のゲインが小さな値から徐々に又は連続的に大きくなるように制御される機能を有する
ことを特徴とする請求項２に記載の音響出力装置。
【請求項４】
前記第１の可変抵抗器及び前記第２の可変抵抗器のそれぞれは、
直列に接続された複数の抵抗素子と、
外部から受けた制御信号に応じて前記複数の抵抗素子のそれぞれにおける一端と他端とをそれぞれ短絡させる複数のスイッチと、
を含み、
前記駆動部は、前記第１の可変抵抗器及び前記第２の可変抵抗器のそれぞれの抵抗値が、前記複数のスイッチにおけるオフしたスイッチの個数が徐々に増やされることにより、徐々に大きくなるように制御され、これにより、前記駆動部のゲインが小さな値から徐々に大きくなるように制御される機能を有する
ことを特徴とする請求項３に記載の音響出力装置。
【請求項５】
前記第１の可変抵抗器及び前記第２の可変抵抗器のそれぞれは、
ゲートの電圧に応じて抵抗値を変える電界効果トランジスタと、
前記電界効果トランジスタのゲートに接続された容量と、
外部から受けた制御信号に応じて前記容量を充電又は放電することにより、前記電界効果トランジスタのゲートの電圧を制御する充放電部と、
を含み、
前記駆動部は、前記第１の可変抵抗器及び前記第２の可変抵抗器において、前記充放電部が前記容量を充電して前記容量に保持された電圧の大きさが連続的に大きくされることにより、前記電界効果トランジスタの抵抗値が連続的に大きくなるように制御され、これにより、前記駆動部のゲインが小さな値から連続的に大きくなるように制御される機能を有する
ことを特徴とする請求項３に記載の音響出力装置。
【請求項６】
前記駆動部は、前記出力部を駆動し終わるときに、前記駆動部のゲインが徐々に又は連続的に小さくなるように制御される機能を有する
ことを特徴とする請求項１に記載の音響出力装置。
【請求項７】
前記駆動部は、
差動増幅器と、
前記駆動部のゲインを決定するように、前記差動増幅器の負入力端子と正出力端子との間に接続された第１の可変抵抗器と、
前記駆動部のゲインを決定するように、前記差動増幅器の正入力端子と負出力端子との間に接続された第２の可変抵抗器と、
を含み、
前記駆動部は、前記第１の可変抵抗器及び前記第２の可変抵抗器のそれぞれの抵抗値が、前記出力部が駆動され終わるときに、徐々に又は連続的に小さくなるように制御され、これにより、前記駆動部のゲインが徐々に又は連続的に小さくなるように制御される機能を有する
ことを特徴とする請求項６に記載の音響出力装置。
【請求項８】
前記第１の可変抵抗器及び前記第２の可変抵抗器のそれぞれは、
直列に接続された複数の抵抗素子と、
外部から受けた制御信号に応じて前記複数の抵抗素子のそれぞれにおける一端と他端とをそれぞれ短絡させる複数のスイッチと、
を含み、
前記駆動部は、前記第１の可変抵抗器及び前記第２の可変抵抗器のそれぞれの抵抗値が、前記複数のスイッチにおけるオフしたスイッチの個数が徐々に減らされることにより、徐々に小さくなるように制御され、これにより、前記駆動部のゲインが徐々に小さくなるように制御される機能を有する
ことを特徴とする請求項７に記載の音響出力装置。
【請求項９】
前記第１の可変抵抗器及び前記第２の可変抵抗器のそれぞれは、
ゲートの電圧に応じて抵抗値を変える電界効果トランジスタと、
前記電界効果トランジスタのゲートに接続された容量と、
外部から受けた制御信号に応じて前記容量を充電又は放電することにより、前記電界効果トランジスタのゲートの電圧を制御する充放電部と、
を含み、
前記駆動部は、前記第１の可変抵抗器及び前記第２の可変抵抗器において、前記充放電部が前記容量を放電して前記容量に保持された電圧の大きさが連続的に小さくされることにより、前記電界効果トランジスタの抵抗値が連続的に小さくなるように制御され、これにより、前記駆動部のゲインが連続的に小さくなるように制御される機能を有する
ことを特徴とする請求項７に記載の音響出力装置。
【請求項１０】
前記駆動部は、
差動増幅器と、
前記駆動部のゲインを決定するように、前記差動増幅器の正出力端子の電位と負出力端子の電位との差を電流に変換して前記差動増幅器の正入力端子及び負入力端子へ供給する電圧電流変換器と、
を含み、
前記駆動部は、前記電圧電流変換器が、前記出力部が駆動され始めるときに、電圧電流変換率が徐々に又は連続的に小さくなるように制御され、これにより、前記駆動部のゲインが徐々に又は連続的に大きくなるように制御される機能を有する
ことを特徴とする請求項１に記載の音響出力装置。
【請求項１１】
前記駆動部は、
差動増幅器と、
前記駆動部のゲインを決定するように、前記差動増幅器の正出力端子の電位と負出力端子の電位との差を電流に変換して前記差動増幅器の正入力端子及び負入力端子へ供給する電圧電流変換器と、
を含み、
前記駆動部は、前記電圧電流変換器が、前記出力部が駆動され終わるときに、電圧電流変換率が徐々に又は連続的に大きくなるように制御され、これにより、前記駆動部のゲインが徐々に又は連続的に小さくなるように制御される機能を有する
ことを特徴とする請求項６に記載の音響出力装置。
【請求項１２】
前記電圧電流変換器は、
正入力端子に前記差動増幅器の負出力端子が接続され、負入力端子に前記差動増幅器の正出力端子が接続され、正出力端子に前記差動増幅器の負入力端子が接続され、負出力端子に前記差動増幅器の正入力端子が接続された差動増幅器を含む
ことを特徴とする請求項１０又は１１に記載の音響出力装置。
【請求項１３】
複数の機能のいずれかを用いて、被写体を撮像する撮像装置と、
請求項１から１２のいずれか１項に記載の音響出力装置と、
前記複数の機能のうち前記撮像装置で用いられる機能を切り替える際に、切り替えることを示す音響が前記出力部から出力されるとともに、前記駆動部のゲインを徐々に又は連続的に大きくするように、前記音響出力装置を制御する制御部と、
を備えたことを特徴とする撮像システム。
【請求項１４】
音響を出力する出力部と、外部から受けた音響信号を増幅し、増幅した音響信号に応じた音響が前記出力部から出力されるように、前記出力部を駆動する駆動部とを有する音響出力装置の制御方法であって、
前記駆動部のゲインが小さな値から徐々に又は連続的に大きくなるように前記駆動部が制御される第１のステップと、
前記第１のステップの後に、前記駆動部が、外部から受けた音響信号を増幅し、増幅した音響信号に応じた音響が前記出力部から出力されるように、前記出力部を駆動する第２のステップと、
を備えたことを特徴とする音響出力装置の制御方法。
【発明の詳細な説明】
【技術分野】
【０００１】
本発明は、音響出力装置、及び音響出力装置の制御方法に関する。
【背景技術】
【０００２】
近年のＤＶＣ（ディジタル・ビデオ・カメラ）やＤＳＣ（デジタル・スチル・カメラ）等の携帯型電子機器には、動画や静止画の撮影機能の他に、撮影した画像を再生、編集、データ転送するなどのさまざまな機能が装備されている場合が多い。また、このような携帯型電子機器は、バッテリー消費量を抑制して長時間動作させるために、機能ごとに必要な部分にのみ電源を供給するといった電力制御が一般的に行われる。さらに、携帯型電子機器には、音響出力機能を装備しているものも多い。音響出力機能は、撮像と同時に録音された音響を再生して出力する以外にも、機能の切り替え時にそのことを使用者に知らせるビープ音を出力するために用いられている。
【０００３】
ビープ音を出力する際には、出力直前に音響出力機能を動作状態にし、出力後に非動作状態にする。動作状態と非動作状態との切り替え時に、ポップ音と称する雑音がスピーカから出力されることがある。
【０００４】
特許文献１には、本願の図９に示すようなショック音防止回路が記載されている。図９に示すように、特許文献１におけるショック音防止回路では、初期状態において、基準電圧発生回路８０５、第１のオペアンプ８０３及び第２のオペアンプ８０４がオフ状態である。また、この状態において、スピーカ入力端子８０６及び８０７の電圧と基準電圧ＶＲＥＦとはともにＧＮＤレベルである。この状態から、スピーカ出力のオン制御に応じて、基準電圧発生回路８０５が起動してコンデンサＣ８０１を充電することにより、基準電圧ＶＲＥＦのレベルがＧＮＤレベルからゆっくりと上がっていく。
【０００５】
また、特許文献１における第１のオペアンプ８０３及び第２のオペアンプ８０４は、スピーカ出力のオン制御に応じて、ゆっくりとレベルが上がっていく基準電圧ＶＲＥＦがそれぞれ正極端子（＋）に印加される。これにより、第１のオペアンプ８０３及び第２のオペアンプ８０４からそれぞれスピーカ入力端子８０６及び８０７へ出力される電圧も、基準電圧ＶＲＥＦに追従していく。このとき、端子８０１へ入力された音響信号に応じて、コンデンサＣ８０２の端子８０２側の電極を充電する電流Ｉｃが第１のオペアンプ８０３の出力端子から抵抗Ｒ８０１と抵抗Ｒ８０２とを流れる。このため、スピーカ８０８の負側入力端子８０６の電圧が基準電圧ＶＲＥＦよりもＩｃ×Ｒ８０２だけ高くなり、スピーカ８０８の正側入力端子８０７の電圧が基準電圧ＶＲＥＦよりもＩｃ×Ｒ８０２だけ低くなる。これにより発生する電位差がショック音の発生原因となってしまう。
【０００６】
それに対して、特許文献１におけるスイッチ８１１は、基準電圧発生回路８０５の起動時からコンデンサＣ８０２の充電が完了するまでの時間だけオンすることにより、第１のオペアンプ８０３の帰還抵抗Ｒ８０２を短絡状態にする。これにより、特許文献１によれば、スピーカ８０８の負側入力端子８０６の電位と正側入力端子８０７の電位との差に起因したショック音を抑制できるとされている。
【０００７】
特許文献２には、本願の図１０に示すような音響機器９０１が記載されている。図１０に示すように、特許文献２における音響機器９０１では、振幅変調及び周波数変調された音響信号がアンテナ９０３により受信され、その受信された音響信号がチューナ９０４により復調される。チューナ９０４は、その復調された音響信号をライン９０５経由で電力増幅手段９１０へ導出する。すなわち、増幅回路９１１は、ライン９０５へ導出された音響信号をライン９１２経由でミュート回路９１３へ供給する。ミュート回路９１３は、ミュート動作を行わない期間に、供給された音響信号をライン９１４経由でスピーカ９１５へ供給する。
【０００８】
ここで、特許文献２の第４図に示すように、ｔ１〜ｔ２において、キー入力手段９０７の電源投入ボタン９０８が押圧操作される。時刻ｔ３〜ｔ５において、処理回路９０６は、ライン９２４及び端子９２３を介してミュート回路９１３へハイレベルのミュート信号を供給する。これにより、ミュート回路９１３は、ミュート動作を行い、供給された音響信号をライン９１４へ導出しない。特許文献２の第４図（５）に示される電源投入に起因したポップノイズは、時刻ｔ５までに減衰している。そこで、時刻ｔ５以降においてミュート回路９１３のミュート動作が解除される。これにより、特許文献２によれば、電源投入時におけるポップノイズの発生を確実に防止できるとされている。
【特許文献１】特開２００６-０４２０５７号公報
【特許文献２】特開昭６１-２６１９０５号公報
【発明の開示】
【発明が解決しようとする課題】
【０００９】
特許文献１には、スイッチ８１１のオン／オフ制御を、基準電圧発生回路８０５の起動時からコンデンサＣ８０２の充電が完了するまでの時間をタイマーで計り、その時間が経過したらスイッチ８１１をオフするように制御することが記載されている。
【００１０】
仮に、図９に示したショック音防止回路では、基準電圧発生回路８０５の起動時において、端子８０１へ音響信号が入力されていないとする。この場合でも、第１のオペアンプ８０３の負極端子（−）へ入力される信号と正極端子（＋）へ入力される信号との間にオフセットが発生する。
【００１１】
このとき、スイッチ８１１がオンしていることにより、第１のオペアンプ８０３のゲインが１に固定されており、スピーカ８０８の負側入力端子８０６の電位と正側入力端子８０７の電位との差すなわちオフセット電圧が発生する。その後、スイッチ８１１がオフすると、第１のオペアンプ８０３のゲインが１から−Ｒ８０２／（Ｒ８０１）へと急激に変化するので、スピーカ８０８の負側入力端子８０６の電位と正側入力端子８０７の電位との差も急激に変化する。これにより、スピーカ８０８は、負側入力端子８０６の電位と正側入力端子８０７の電位との差の急激な変化に起因したポップ音を出力する可能性がある。
【００１２】
特に、ＤＶＣで撮影する際には、顔の近くにＤＶＣを保持して操作するため、他の用途では気にならない程度のポップ音が問題となる。
【００１３】
本発明の目的は、音響出力装置において、出力部の駆動開始時における回路オフセットに起因したポップ音の出力を抑制することにある。
【課題を解決するための手段】
【００１４】
本発明の第１側面に係る音響出力装置は、音響を出力する出力部と、外部から受けた音響信号を増幅し、増幅した音響信号に応じた音響が前記出力部から出力されるように、前記出力部を駆動する駆動部とを備え、前記駆動部は、前記出力部を駆動し始めるときに、前記駆動部のゲインが小さな値から徐々に又は連続的に大きくなるように制御される機能を有することを特徴とする。
【００１５】
本発明の第２側面に係る撮像システムは、複数の機能のいずれかを用いて、被写体を撮像する撮像装置と、本発明の第１側面に係る音響出力装置と、前記複数の機能のうち前記撮像装置で用いられる機能を切り替える際に、切り替えることを示す音響が前記出力部から出力されるとともに、前記駆動部のゲインを徐々に又は連続的に大きくするように、前記音響出力装置を制御する制御部とを備えたことを特徴とする。
【００１６】
本発明の第３側面に係る音響出力装置の制御方法は、音響を出力する出力部と、外部から受けた音響信号を増幅し、増幅した音響信号に応じた音響が前記出力部から出力されるように、前記出力部を駆動する駆動部とを有する音響出力装置の制御方法であって、前記駆動部のゲインが小さな値から徐々に又は連続的に大きくなるように前記駆動部が制御される第１のステップと、前記第１のステップの後に、前記駆動部が、外部から受けた音響信号を増幅し、増幅した音響信号に応じた音響が前記出力部から出力されるように、前記出力部を駆動する第２のステップとを備えたことを特徴とする。
【発明の効果】
【００１７】
本発明によれば、音響出力装置において、出力部の駆動開始時における回路オフセットに起因したポップ音の出力を抑制することができる。
【発明を実施するための最良の形態】
【００１８】
本発明の第１実施形態に係る音響出力装置１００を、図１を用いて説明する。図１は、本発明の第１実施形態に係る音響出力装置１００の構成を示す図である。
【００１９】
音響出力装置１００は、例えば、デジタル音響信号を受けて、受けたデジタル音響信号に応じた音響を出力するデジタルオーディオシステムである。音響出力装置１００は、駆動部１４、及び出力部１５を備える。駆動部１４は、外部から受けた音響信号を増幅し、増幅した音響信号に応じた音響を出力するように、出力部１５を駆動する。
【００２０】
駆動部１４は、生成部１０及び増幅部１１を含む。
【００２１】
生成部１０は、第１のオフセット（回路オフセット）を有している。生成部１０は、外部からデジタル音響信号を受け、受けたデジタル音響信号に応じてアナログ音響信号を生成し、第１のオフセットに応じた第１のオフセット信号と生成したアナログ音響信号とを出力する。生成部１０は、端子１、デジタル信号変調部２、１ビットＤ／Ａ変換器３、及びアナログＬＰＦ（低域通過フィルタ）４を含む。
【００２２】
端子１には、ＣＤなどに記憶されるデジタル音響信号（ＰＣＭ：Ｐｕｌｓｅ  Ｃｏｄｅ  Ｍｏｄｕｌａｔｉｏｎ  など）が入力される。
【００２３】
デジタル信号変調部２は、端子１に入力されたデジタル音響信号を受ける。デジタル信号変調部２は、受けたデジタル音響信号に対して、ΔΣ変調器やデシメーションフィルタなどを用いた所定の信号変調処理を行う。所定の信号変調処理は、例えば、可聴帯域のノイズ特性に優れ、且つ１ビットであるＰＤＭ（Ｐｕｌｓｅ  Ｄｅｎｓｉｔｙ  Ｍｏｄｕｌａｔｉｏｎ）などの１ビットデジタル制御信号への変調処理である。デジタル信号変調部２は、１ビットデジタル制御信号を１ビットＤ／Ａ変換器３へ供給する。
【００２４】
１ビットＤ／Ａ変換器３は、１ビットデジタル制御信号をデジタル信号変調部２から受ける。１ビットＤ／Ａ変換器３は、１ビットデジタル制御信号をＤ／Ａ変換した結果を、アナログ音響信号を生成してアナログＬＰＦ４へ供給する。
【００２５】
アナログＬＰＦ４は、可聴帯域のアナログ音響信号を選択的に通過させるフィルタ処理を行う。アナログＬＰＦ４は、１ビットＤ／Ａ変換器３から受けたアナログ音響信号のうちカットオフ周波数以上の高周波成分を除去するフィルタ処理を行い、処理後のアナログ音響信号を出力する。また、アナログＬＰＦ４は、第１のオフセット（回路オフセット）を有しており、第１のオフセットに応じた第１のオフセット信号を出力する。すなわち、アナログＬＰＦ４は、第１のオフセット信号として第１の信号と第２の信号とをそれぞれ増幅部１１における後述の端子１２及び端子１３へ出力する。また、アナログＬＰＦ４は、アナログ音響信号として第１のアナログ信号と第２のアナログ信号とをそれぞれ増幅部１１における端子１２及び端子１３へ出力する。
【００２６】
増幅部１１は、第２のオフセット（回路オフセット）を有している。増幅部１１は、生成部１０から出力された第１のオフセット信号及びアナログ音響信号と第２のオフセットに応じた第２のオフセット信号とを増幅し、増幅した第１のオフセット信号、第２のオフセット信号、及びアナログ音響信号を出力する。増幅部１１は、端子１２、端子１３、可変抵抗器（第３の可変抵抗器）６１、可変抵抗器（第４の可変抵抗器）６３、可変抵抗器（第１の可変抵抗器）６２、可変抵抗器（第２の可変抵抗器）６４、差増増幅器５、端子６、及び端子７を含む。
【００２７】
端子１２には、アナログＬＰＦ４から第１の信号が入力される。端子１２には、アナログＬＰＦ４から第１のアナログ信号が入力される。
【００２８】
端子１３には、アナログＬＰＦ４から第２の信号が入力される。端子１３には、アナログＬＰＦ４から第２のアナログ信号が入力される。
【００２９】
可変抵抗器６１は、端子１２と差増増幅器５の負入力端子との間に接続されている。可変抵抗器６１は、抵抗値Ｒ１を有する。可変抵抗器６１の抵抗値Ｒ１は、外部からの制御信号に応じて可変である。
【００３０】
可変抵抗器６３は、端子１３と差増増幅器５の正入力端子との間に接続されている。可変可変抵抗器６３は、抵抗値Ｒ３を有する。可変抵抗器６３の抵抗値Ｒ３は、外部からの制御信号に応じて可変である。
【００３１】
可変抵抗器６２は、差動増幅器５の負入力端子と正出力端子との間に接続されている。可変抵抗器６２は、抵抗値Ｒ２を有する。可変抵抗器６２の抵抗値Ｒ２は、外部からの制御信号に応じて可変である。
【００３２】
可変抵抗器６４は、差動増幅器５の正入力端子と負出力端子との間に接続されている。可変抵抗器６４は、抵抗値Ｒ４を有する。可変抵抗器６４の抵抗値Ｒ４は、外部からの制御信号に応じて可変である。
【００３３】
差増増幅器５は、差動入力差動出力型の増幅器である。差増増幅器５は、その負入力端子に可変抵抗器６１が接続され、その負入力端子と正出力端子との間に可変抵抗器６２が接続されている。差増増幅器５は、その正入力端子に可変抵抗器６３が接続され、その正入力端子と負出力端子との間に可変抵抗器６４が接続されている。差増増幅器５は、その入力の仮想接地点に対して、反転増幅器として正負共に動作する。
【００３４】
例えば、差増増幅器５は、負入力端子に入力された第１の信号を、可変抵抗器６１の抵抗値Ｒ１と可変抵抗器６２の抵抗値Ｒ２とに応じたゲイン（−Ｒ２／Ｒ１）に従って反転増幅する。差増増幅器５は、反転増幅した第１の信号を正出力端子から出力部１５における後述の端子６へ出力する。
【００３５】
例えば、差増増幅器５は、負入力端子に入力された第１のアナログ信号を、可変抵抗器６１の抵抗値Ｒ１と可変抵抗器６２の抵抗値Ｒ２とに応じたゲイン（−Ｒ２／Ｒ１）に従って反転増幅する。差増増幅器５は、反転増幅した第１のアナログ信号を正出力端子から出力部１５における端子６へ出力する。
【００３６】
例えば、差増増幅器５は、正入力端子に入力された第１の信号を、可変抵抗器６３の抵抗値Ｒ３と可変抵抗器６４の抵抗値Ｒ４とに応じたゲイン（−Ｒ４／Ｒ３）に従って反転増幅する。差増増幅器５は、反転増幅した第１の信号を負出力端子から出力部１５における後述の端子７へ出力する。
【００３７】
例えば、差増増幅器５は、正入力端子に入力された第１のアナログ信号を、可変抵抗器６３の抵抗値Ｒ３と可変抵抗器６４の抵抗値Ｒ４とに応じたゲイン（−Ｒ４／Ｒ３）に従って反転増幅する。差増増幅器５は、反転増幅した第１のアナログ信号を負出力端子から出力部１５における端子７へ出力する。
【００３８】
また、差増増幅器５は、第２のオフセットを有しており、第２のオフセットに応じた第２のオフセット信号を増幅して出力する。差増増幅器５は、第２のオフセット信号として第３の信号と第４の信号とをそれぞれ出力部１５における端子６及び端子７へ出力する。
【００３９】
なお、Ｒ１＝Ｒ３及びＲ２＝Ｒ４の場合、差増増幅器５はＲ２／Ｒ１のゲインをもった増幅器として動作する。
【００４０】
出力部１５は、増幅部１１により増幅された第１のオフセット信号及び第２のオフセット信号を基準として、増幅部１１により増幅されたアナログ音響信号に応じた音響を出力する。出力部１５は、端子６、端子７、及びスピーカ８を含む。
【００４１】
端子６には、差動増幅器５により増幅された第１の信号及び第３の信号が入力される。端子６には、差動増幅器５により増幅された第１のアナログ信号が入力される。
【００４２】
端子７には、差動増幅器５により増幅された第２の信号及び第４の信号が入力される。端子７には、差動増幅器５により増幅された第２のアナログ信号が入力される。
【００４３】
スピーカ８は、その正入力端子が端子６に接続され、その負入力端子が端子７に接続されている。スピーカ８は、端子６を介して受けた第１の信号及び第３の信号と端子７を介して受けた第２の信号及び第４の信号とに基づいて、基準とすべき第１のオフセット信号及び第２のオフセット信号を生成する。また、スピーカ８は、端子６を介して受けた第１のアナログ信号と端子７を介して受けた第２のアナログ信号とに基づいて、アナログ音響信号を生成する。これにより、スピーカ８は、増幅部１１により増幅された第１のオフセット信号及び第２のオフセット信号を基準として、増幅部１１により増幅されたアナログ音響信号に応じた音響を出力する。
【００４４】
ここで、増幅部１１は、出力部１５の駆動開始時に、増幅部１１のゲインが小さな値から徐々に又は連続的に大きくなるように制御されながら、第１のオフセット信号及び第２のオフセット信号を増幅する機能を有する。具体的には、可変抵抗器６２及び可変抵抗器６４のそれぞれの抵抗値Ｒ２，Ｒ４は、出力部１５の駆動開始時に、徐々に又は連続的に大きくなるように制御される。これにより、増幅部１１のゲインが小さな値から徐々に又は連続的に大きくなる。
【００４５】
また、増幅部１１は、出力部１５の駆動終了時に、増幅部１１のゲインが徐々に又は連続的に小さくなるように制御されながら、第１のオフセット信号及び第２のオフセット信号を増幅する機能を有する。具体的には、可変抵抗器６２及び可変抵抗器６４のそれぞれの抵抗値Ｒ２，Ｒ４は、出力部１５の駆動終了時に、徐々に又は連続的に小さくなるように制御される。これにより、増幅部１１のゲインが徐々に又は連続的に小さくなる。
【００４６】
このように、音響出力装置の動作開始時において、第１のオフセット信号及び第２のオフセット信号を増幅部が増幅して出力部へ供給する際における増幅部のゲインが徐々に又は連続的に大きくなるように増幅部が制御される。これにより、音響出力装置の動作開始時において、増幅部により増幅され出力部へ供給されるオフセット信号のレベルの急激な変化を抑制できるので、出力部がポップ音を出力することが抑制される。これにより、音響出力装置において、出力部の駆動開始時における回路オフセットに起因したポップ音の出力を抑制することができる。
【００４７】
また、音響出力装置の動作終了時において、第１のオフセット信号及び第２のオフセット信号を増幅部が増幅して出力部へ供給する際における増幅部のゲインが徐々に又は連続的に小さくなるように増幅部が制御される。これにより、音響出力装置の動作終了時において、増幅部により増幅され出力部へ供給されるオフセット信号のレベルの急激な変化を抑制できるので、出力部がポップ音を出力することが抑制される。これにより、音響出力装置において、出力部の駆動終了時における回路オフセットに起因したポップ音の出力を抑制することができる。
【００４８】
次に、音響出力装置１００の動作を、さらに具体的に説明する。
【００４９】
図１に示す音響出力装置１００の動作開始時において、生成部１０の動作を開始し、増幅部１１の入力をミュートレベルで安定させる。予め、増幅部１１を構成するＲ２、Ｒ４の抵抗値は０Ωもしくは可能な範囲で小さい状態に設定しておく。このとき、Ｒ２、Ｒ４の抵抗値が０Ωの場合における増幅部１１の出力側に現れる回路オフセット電圧を概算すると、
Ｖｏｓ２・・・数式１
となる。数式１において、Ｖｏｓ２は、増幅部１１に用いられる差動増幅器５の入力側に現れる回路オフセット（第２のオフセット）である。
【００５０】
そして、増幅部１１を動作状態に設定し、増幅部１１が音響再生時に必要なゲインを得られるまでＲ２、Ｒ４の抵抗値を徐々に大きくしていく。このとき、Ｒ２、Ｒ４の抵抗値が０Ωより大きい場合における増幅部１１の出力側に現れる回路オフセット電圧を概算すると、
Ｖｏｓ１×Ｒ２÷Ｒ１＋Ｖｏｓ２×（Ｒ１＋Ｒ２）÷Ｒ１・・・数式２
となる。数式２において、Ｖｏｓ１は、アナログＬＰＦ４の出力で見られる生成部１０起因の回路オフセット（第１のオフセット）を表す。Ｒ２、Ｒ４の抵抗値を徐々に大きくしていく過程においては、ポップ音が発生しないように出力電圧の変位量を抑制しながら、抵抗値を変化させる。
【００５１】
なお、Ｒ１、Ｒ３の抵抗値が∞（一定の値）とした場合においても、増幅部１１の出力側に現れる回路オフセット電圧は、数式１と同様である。予め、増幅部１１を構成するＲ１、Ｒ３の抵抗値は∞もしくは可能な範囲で大きい状態（一定の値）に設定（維持）しておく。そして、増幅部１１を動作状態に設定し、増幅部１１が音響再生時に必要なゲインを得られるまでＲ２、Ｒ４の抵抗値を徐々に小さくしていく。これにより、同様の効果が得られる。
【００５２】
次に、音響出力装置１００の動作開始時における増幅部１１の出力側に現れる電圧を、図２を用いて説明する。図２は、音響出力装置１００の動作開始時における増幅部１１の出力側に現れる電圧のタイミング図を示す。図２に示すタイミング図において、横軸は時刻を表し、縦軸は端子６と端子７との間の電位差を表す。
【００５３】
時刻０から時刻Ａ１の期間において、増幅部１１は非動作状態である。これにより、端子６と端子７との間の電位差は発生しない。
【００５４】
時刻Ａ１において、増幅部１１は、動作を開始する。このとき、可変抵抗器６２の抵抗値Ｒ２と可変抵抗器６４の抵抗値Ｒ４とをそれぞれ０Ωの状態にするように、増幅部１１へバイアスを供給する。このときの端子６と端子７との間の電位差は数式１に従う。
【００５５】
時刻Ａ１から時刻Ｄ１の期間（第１のステップ）は、ゲイン制御期間である。時刻Ａ１から時刻Ｄ１の期間において、駆動部１４のゲインが小さな値から徐々に又は連続的に大きくなるように駆動部１４が制御される。
【００５６】
時刻Ｂ１において、可変抵抗器６２の抵抗値Ｒ２と可変抵抗器６４の抵抗値Ｒ４とを、それぞれ、０Ωと増幅部１１が音響再生時に必要なゲインを得られる抵抗値との間の適当な値に設定する。このときの端子６と端子７との間の電位差は数式２に従う。
【００５７】
時刻Ｃ１において、可変抵抗器６２の抵抗値Ｒ２と可変抵抗器６４の抵抗値Ｒ４とを、音響再生時に必要なゲインを得られる抵抗値に設定する。このときの端子６と端子７との間の電位差もまた、数式２に従う。
【００５８】
時刻Ｄ１において、出力部１５は、音響再生を開始する。時刻Ｄ１以降（第２のステップ）において、駆動部１４は、外部から受けた音響信号を増幅し、増幅した音響信号に応じた音響が出力部１５から出力されるように、出力部１５を駆動する。これにより、出力部１５は、音響を再生出力する。
【００５９】
図２に示す例では、可変抵抗器の抵抗値を４段階で変化させている。各段階における電位差の変化量は、図９のＲ８０２の両端を短絡した状態から音響再生時に必要なゲインを得られる抵抗値まで一度に変化させたときの電位差の変化量に比べて、小さく抑えられていることが理解できる。実際には、予想される最大オフセット電圧に対し、ポップ音が問題とならないレベルになるように段階数を設定する。本発明者の実験によれば、各段階の時間ｔ１が
２００μｓｅｃ＜ｔ１＜５ｍｓｅｃ・・・数式３
の範囲において、よりポップ音が抑制されることが分かっている。
【００６０】
次に、音響出力装置１００の動作終了時における増幅部１１の出力側に現れる電圧を、図３を用いて説明する。図３は、音響出力装置１００の動作終了時における増幅部１１の出力側に現れる電圧のタイミング図を示す。図３に示すタイミング図において、横軸は時刻を表し、縦軸は端子６と端子７との間の電位差を表す。図３に示される動作は、図２と比較すると明らかなように、図２に対してちょうど時刻を反対にトレースしたような動作になっている。
【００６１】
時刻Ｄ２において、出力部１５は、音響再生を終了する。
【００６２】
時刻Ｃ２において、可変抵抗器６２の抵抗値Ｒ２と可変抵抗器６４の抵抗値Ｒ４とを、音響再生時に必要なゲインを得られる抵抗値から０Ωへ近づくように小さくする。
【００６３】
時刻Ｂ２において、可変抵抗器６２の抵抗値Ｒ２と可変抵抗器６４の抵抗値Ｒ４とを、それぞれ、０Ωにしている。
【００６４】
このようにして徐々に抵抗値を変化させ、出力に見られるオフセット電圧を徐々に小さくしていき、最後に増幅部１１を非動作状態にすることで、よりポップ音を抑制する。実際の設定に関しては動作開始時と同様である。
【００６５】
次に、本発明の第１実施形態における可変抵抗器６２又は６４の構成例を、図４を用いて説明する。図４は、本発明の第１実施形態における可変抵抗器６２又は６４の構成例を示す図である。
【００６６】
可変抵抗器６２又は６４は、複数の抵抗素子Ｒ２１,Ｒ２２,Ｒ２３、複数のスイッチＳ２１,Ｓ２２,Ｓ２３、及び抵抗素子Ｒ２４を含む。
【００６７】
複数の抵抗素子Ｒ２１,Ｒ２２,Ｒ２３及び抵抗素子Ｒ２４は、端子２１及び端子２２間で直列に接続されている。
【００６８】
複数のスイッチＳ２１,Ｓ２２,Ｓ２３は、外部から受けた制御信号に応じて複数の抵抗素子Ｒ２１,Ｒ２２,Ｒ２３のそれぞれにおける一端と他端とをそれぞれ短絡させる。すなわち、抵抗素子Ｒ２１,Ｒ２２,Ｒ２３のそれぞれに対してバイパスする経路にＳ２１,Ｓ２２,Ｓ２３のスイッチを設けている。これらのスイッチは個別に入力端子２３、２４、２５に外部（後述の全体制御・演算部）から入力された制御信号に応じてオンオフが制御される。
【００６９】
例えば、スイッチＳ２１、Ｓ２２、及びＳ２３がオフであれば、可変抵抗器の抵抗値はＲ２１＋Ｒ２２＋Ｒ２３＋Ｒ２４になる。
【００７０】
例えば、スイッチＳ２１がオン、スイッチＳ２２及びＳ２３がオフであれば、可変抵抗器の抵抗値はＲ２２＋Ｒ２３＋Ｒ２４になる。
【００７１】
このように、第１の可変抵抗器及び第２の可変抵抗器のそれぞれの抵抗値は、複数のスイッチにおけるオフしたスイッチの個数が徐々に増やされることにより、徐々に大きくなるように制御される。これにより、増幅部のゲインが小さな値から徐々に大きくなる。
【００７２】
また、第１の可変抵抗器及び第２の可変抵抗器のそれぞれの抵抗値は、複数のスイッチにおけるオフしたスイッチの個数が徐々に減らされることにより、徐々に小さくなるように制御される。これにより、増幅部のゲインが徐々に小さくなる。
【００７３】
次に、本発明の第１実施形態における可変抵抗器６２又は６４の別の構成例を、図５を用いて説明する。図５は、本発明の第１実施形態における可変抵抗器６２又は６４の別の構成例を示す図である。
【００７４】
可変抵抗器６２又は６４は、抵抗素子Ｒ２、電界効果トランジスタＭ３１、容量Ｃ３１、及び充放電部３７を含む。
【００７５】
抵抗素子Ｒ２と、電界効果トランジスタＭ３１のオン抵抗を用いた抵抗素子とが、端子３１及び端子３２の間に並列に接続されている。
【００７６】
電界効果トランジスタＭ３１のオン抵抗の抵抗値は、電界効果トランジスタＭ３１のゲートの電圧により制御される。すなわち、電界効果トランジスタＭ３１は、ゲートの電圧に応じてその抵抗値を変える。
【００７７】
容量Ｃ３１は、電界効果トランジスタＭ３１のゲートへ電圧を供給するように、電界効果トランジスタＭ３１のゲートに接続されている。すなわち、電界効果トランジスタＭ３１のゲートへは、容量Ｃ３１に保持された電圧が供給される。
【００７８】
充放電部３７は、外部から受けた制御信号に応じて容量Ｃ３１を充電又は放電することにより、電界効果トランジスタＭ３１のゲートの電圧を制御する。充放電部３７は、充電電流源Ｉ３１、スイッチ３５、放電電流源Ｉ３２、及びスイッチ３６を含む。
【００７９】
例えば、スイッチ３５は、容量Ｃ３１の充電を指示する制御信号を制御端子３３経由で受けて、その制御信号に応じてオンする。これにより、充電電流源Ｉ３１から容量Ｃ３１へ電流が流れ込むので、容量Ｃ３１が充電されることにより、容量Ｃ３１に保持された電圧が増加する。
【００８０】
例えば、スイッチ３６は、容量Ｃ３１の放電を指示する制御信号を制御端子３３経由で受けて、その制御信号に応じてオンする。これにより、容量Ｃ３１から放電電流源Ｉ３２へ電流が流れ出すので、容量Ｃ３１が放電されることにより、容量Ｃ３１に保持された電圧が減少する。
【００８１】
このように、第１の可変抵抗器及び第２の可変抵抗器のそれぞれは、充放電部が容量を充電して容量に保持された電圧の大きさが連続的に大きくされることにより、電界効果トランジスタの抵抗値が連続的に大きくなるように制御される。これにより、第１の可変抵抗器及び第２の可変抵抗器のそれぞれの抵抗値は、連続的に大きくなるように制御される。この結果、増幅部のゲインが小さな値から連続的に大きくなる。
【００８２】
また、第１の可変抵抗器及び第２の可変抵抗器のそれぞれは、充放電部が容量を放電して容量に保持された電圧の大きさが連続的に小さくされることにより、電界効果トランジスタの抵抗値が連続的に小さくなるように制御される。これにより、第１の可変抵抗器及び第２の可変抵抗器のそれぞれの抵抗値は、連続的に小さくなるように制御される。この結果、増幅部のゲインが連続的に小さくなる。
【００８３】
なお、一定の傾きでゲート電圧を変化させることによって、可変抵抗器６２，６４の抵抗値を連続的に変化させてもよい。
【００８４】
本実施形態によれば、音響再生開始時点もしくは、終了時点の増幅部における出力の急激な変化を抑制することができるので、ポップ音による製品品質の低下を防ぐことができる。また、ゲイン制御手段としてＭＯＳスイッチ等による抵抗値制御等によって実現できるため、ＩＣの集積に向いており、より回路規模が抑えられるといった効果もある。
【００８５】
次に、本発明の音響出力装置を適用した撮像システムの一例を図６に示す。
【００８６】
撮像システム９０は、図６に示すように、主として、光学系、撮像装置８６及び信号処理部を備える。光学系は、主として、シャッター９１、レンズ９２及び絞り９３を備える。信号処理部は、主として、撮像信号処理回路９５、Ａ／Ｄ変換器９６、画像信号処理部９７、メモリ部８７、外部Ｉ／Ｆ部８９、タイミング発生部９８、全体制御・演算部９９、記録媒体８８及び記録媒体制御Ｉ／Ｆ部９４を備える。なお、信号処理部は、記録媒体８８を備えなくても良い。
【００８７】
シャッター９１は、光路上においてレンズ９２の手前に設けられ、露出を制御する。
【００８８】
レンズ９２は、入射した光を屈折させて、撮像装置８６の画素配列（撮像面）に被写体の像を形成する。
【００８９】
絞り９３は、光路上においてレンズ９２と撮像装置８６との間に設けられ、レンズ９２を通過後に撮像装置８６へ導かれる光の量を調節する。
【００９０】
撮像装置８６は、複数の機能のいずれかを用いて、被写体の撮像する。複数の機能は、動画撮影機能、静止画撮影機能、動画／静止画並行撮影機能などである。撮像装置８６は、画素配列に形成された被写体の像を画像信号に変換する。撮像装置８６は、その画像信号を画素配列から読み出して出力する。
【００９１】
撮像信号処理回路９５は、撮像装置８６に接続されており、撮像装置８６から出力された画像信号を処理する。
【００９２】
Ａ／Ｄ変換器９６は、撮像信号処理回路９５に接続されており、撮像信号処理回路９５から出力された処理後の画像信号（アナログ信号）を画像信号（デジタル信号）へ変換する。
【００９３】
画像信号処理部９７は、Ａ／Ｄ変換器９６に接続されており、Ａ／Ｄ変換器９６から出力された画像信号（デジタル信号）に各種の補正等の演算処理を行い、画像データを生成する。この画像データは、メモリ部８７、外部Ｉ／Ｆ部８９、全体制御・演算部９９及び記録媒体制御Ｉ／Ｆ部９４などへ供給される。
【００９４】
メモリ部８７は、画像信号処理部９７に接続されており、画像信号処理部９７から出力された画像データを記憶する。
【００９５】
外部Ｉ／Ｆ部８９は、画像信号処理部９７に接続されている。これにより、画像信号処理部９７から出力された画像データを、外部Ｉ／Ｆ部８９を介して外部の機器（パソコン等）へ転送する。
【００９６】
タイミング発生部９８は、撮像装置８６、撮像信号処理回路９５、Ａ／Ｄ変換器９６及び画像信号処理部９７に接続されている。これにより、撮像装置８６、撮像信号処理回路９５、Ａ／Ｄ変換器９６及び画像信号処理部９７へタイミング信号を供給する。そして、撮像装置８６、撮像信号処理回路９５、Ａ／Ｄ変換器９６及び画像信号処理部９７がタイミング信号に同期して動作する。
【００９７】
全体制御・演算部９９は、タイミング発生部９８、画像信号処理部９７及び記録媒体制御Ｉ／Ｆ部９４に接続されており、タイミング発生部９８、画像信号処理部９７及び記録媒体制御Ｉ／Ｆ部９４を全体的に制御する。
【００９８】
また、全体制御・演算部（制御部）９９は、複数の機能のうち撮像装置８６で用いられる機能を切り替える際に、次のような制御を行う。全体制御・演算部９９は、切り替えることを示す音響が出力部１５から出力されるとともに、増幅部１１のゲインを徐々に又は連続的に大きくするように、音響出力装置１００を制御する。例えば、全体制御・演算部９９は、機能の切り替え時にそのことを使用者に知らせるビープ音を示すデジタル音響信号と、増幅部１１のゲインを制御するための制御信号とを、音響出力装置１００へ出力する。
【００９９】
音響出力装置１００は、全体制御・演算部９９からデジタル音響信号と制御信号とを受けて、受けたデジタル音響信号に応じた音響を出力するとともに、制御信号に応じて増幅部１１のゲインを変える。
【０１００】
記録媒体８８は、記録媒体制御Ｉ／Ｆ部９４に取り外し可能に接続されている。これにより、画像信号処理部９７から出力された画像データを、記録媒体制御Ｉ／Ｆ部９４を介して記録媒体８８へ記録する。
【０１０１】
以上の構成により、音響出力装置１００において良好な音響が出力されれば、撮像システム９０の使い勝手が向上する。
【０１０２】
次に、本発明の第２実施形態に係る音響出力装置２００を、図７を用いて説明する。図７は、本発明の第２実施形態に係る音響出力装置２００の構成を示す図である。以下では、第１実施形態と異なる部分を中心に説明する。
【０１０３】
音響出力装置２００は、駆動部２１４を備える。駆動部２１４は、増幅部２１１を含む。増幅部２１１は、抵抗器２６１、抵抗器２６２、抵抗器２６３、抵抗器２６４、及び電圧電流変換器２１３を含む。
【０１０４】
抵抗器２６１は、差動増幅器５の負入力端子と端子１２との間に接続されている。抵抗器２６２は、所定の抵抗値Ｒ１ａを有する。
【０１０５】
抵抗器２６２は、差動増幅器５の負入力端子と正出力端子との間に接続されている。抵抗器２６２は、所定の抵抗値Ｒ２ａを有する。
【０１０６】
抵抗器２６３は、差動増幅器５の正入力端子と端子１３との間に接続されている。抵抗器２６３は、所定の抵抗値Ｒ３ａを有する。
【０１０７】
抵抗器２６４は、差動増幅器５の正入力端子と負出力端子との間に接続されている。抵抗器２６４は、所定の抵抗値Ｒ４ａを有する。
【０１０８】
電圧電流変換器２１３は、差動増幅器５の正出力端子の電位と負出力端子の電位との差（電圧）を受ける。電圧電流変換器２１３は、増幅部２１１のゲインを決定するように、差動増幅器５の正出力端子の電位と負出力端子の電位との差（電圧）を電流に変換して差動増幅器５の正入力端子及び負入力端子へ供給する。
【０１０９】
具体的には、電圧電流変換器２１３は、出力部１５の駆動開始時に、電圧電流変換率を徐々に又は連続的に小さくなるように制御されることにより、増幅部２１１のゲインが小さな値から徐々に又は連続的に大きくなるようにする。また、電圧電流変換器２１３は、出力部１５の駆動終了時に、電圧電流変換率を徐々に又は連続的に大きくなるように制御されることにより、増幅部２１１のゲインが徐々に又は連続的に小さくなるようにする。
【０１１０】
電圧電流変換器２１３は、ｇｍ増幅器（差動増幅器）２０９を含む。ｇｍ増幅器２０９は、正入力端子に差動増幅器５の負出力端子が接続され、負入力端子に差動増幅器５の正出力端子が接続され、正出力端子に差動増幅器５の負入力端子が接続され、負出力端子に差動増幅器５の正入力端子が接続されている。
【０１１１】
ｇｍ増幅器２０９は、差動増幅器５の出力電位差を電流に変換し、差動増幅器５の入力端子（正入力端子及び負入力端子）に帰還している。この帰還は負帰還であり、ｇｍの大きさに従って出力電位差が抑制されるように働く。このとき、増幅部２１１の伝達関数（Ｖｏｕｔ／Ｖｉｎ）を概算すると、
Ａ÷｛１＋（１＋Ａ）×Ｒ１ａ÷Ｒ２ａ＋ｇｍ×Ａ×Ｒ１ａ｝・・・数式３
となる。数式３において、Ａは、増幅部２１１に用いられる差動増幅器５の開ループゲインである。ｇｍは、ｇｍ増幅器２０９のｇｍ値である。数式３における差動増幅器５の開ループゲインＡが十分に大きいと仮定した場合、増幅部２１１の伝達関数（Ｖｏｕｔ／Ｖｉｎ）を概算すると、
１÷｛  Ｒ１ａ×（１÷Ｒ２ａ＋ｇｍ）｝・・・数式４
となる。
【０１１２】
数式４に示されるように、ｇｍが十分に大きければ、増幅部の伝達関数は０に近づき、増幅部２１１の出力オフセットは、ｇｍ増幅器の入力オフセットと等しくなる。また、ｇｍを０にすれば、増幅部２１１の伝達関数は音響再生時に必要なゲインを得ることができる。音響再生開始時の動作、及び音響再生終了時のについては、第１実施形態で示した可変抵抗器の制御と同様に、ｇｍを制御することによって可能である。そのため、段階的、もしくは連続的にｇｍ値を制御することによって出力で見た回路起因のオフセット量を制御できる。
【０１１３】
次に、本発明の第２実施形態におけるｇｍ増幅器２０９の構成例を、図８を用いて説明する。図８は、本発明の第２実施形態におけるｇｍ増幅器２０９の構成例を示す図である。
【０１１４】
ｇｍ増幅器２０９では、ＮＭＯＳ差動対トランジスタＭ４１、Ｍ４２とＰＭＯＳ能動負荷回路Ｍ４３、Ｍ４４とによって１段増幅器が構成されている。また、ＮＭＯＳ差動対トランジスタＭ４１、Ｍ４２の共通ソースには、それぞれスイッチＳ４１，Ｓ４２，Ｓ４３を介して定電流源Ｉ４１，Ｉ４２，Ｉ４３が並列接続されている。すなわち、ＮＭＯＳ差動対トランジスタＭ４１、Ｍ４２の共通ソースへ供給するバイアス電流の大きさを、スイッチＳ４１，Ｓ４２，Ｓ４３のオン／オフ状態によって制御する構成となっている。このｇｍ増幅器のｇｍ値は、ＮＭＯＳ差動対トランジスタＭ４１、Ｍ４２のゲートサイズと、ＮＭＯＳ差動対トランジスタＭ４１、Ｍ４２の共通ソースに供給されるバイアス電流の大きさとによって決定される。このとき、ｇｍ増幅器のｇｍと回路定数との関係は、
ｇｍ  ∝  √（Ｗ÷Ｌ×Ｉｂ）・・・数式５
となる。数式５において、Ｗは、ＮＭＯＳ差動対トランジスタのゲート幅であり、Ｌは、ＮＭＯＳ差動対トランジスタのゲート長である。Ｉｂは、ＮＭＯＳ差動対トランジスタの共通ソースに供給されるバイアス電流の大きさである。
【０１１５】
数式５によれば、ｇｍはバイアス電流の大きさの平方根に比例する。すなわち、バイアス電流の大きさを制御することによってｇｍ値を制御できることが分かる。
【０１１６】
例えば、スイッチＳ４１、Ｓ４２、及びＳ４３がオンであれば、バイアス電流の大きさは、Ｉ４１＋Ｉ４２＋Ｉ４３になる。このとき、
ｇｍ  ∝  √（Ｗ÷Ｌ×（Ｉ４１＋Ｉ４２＋Ｉ４３））・・・数式６
となる。
【０１１７】
例えば、スイッチＳ４１がオン、スイッチＳ４２及びＳ４３がオフであれば、バイアス電流の大きさは、Ｉ４１になる。このとき、
ｇｍ  ∝  √（Ｗ÷Ｌ×Ｉ４１）・・・数式７
となる。
【０１１８】
このようにしてスイッチのオンオフを制御することによって、ｇｍ増幅器は徐々にｇｍ値を変化させることができる。
【図面の簡単な説明】
【０１１９】
【図１】本発明の第１実施形態に係る音響出力装置１００の構成を示す図。
【図２】音響出力装置１００の動作開始時における増幅部１１の出力側に現れる電圧のタイミング図。
【図３】音響出力装置１００の動作終了時における増幅部１１の出力側に現れる電圧のタイミング図。
【図４】本発明の第１実施形態における可変抵抗器６２又は６４の構成例を示す図。
【図５】本発明の第１実施形態における可変抵抗器６２又は６４の別の構成例を示す図。
【図６】第１実施形態に係る音響出力装置を適用した撮像システムの構成図。
【図７】本発明の第２実施形態に係る音響出力装置２００の構成を示す図。
【図８】本発明の第２実施形態におけるｇｍ増幅器２０９の構成例を示す図。
【図９】背景技術を説明するための図。
【図１０】背景技術を説明するための図。
【符号の説明】
【０１２０】
１００、２００  音響出力装置
【図１】
2010147607.tif 000003
【図２】
2010147607.tif 000004
【図３】
2010147607.tif 000005
【図４】
2010147607.tif 000006
【図５】
2010147607.tif 000007
【図６】
2010147607.tif 000008
【図７】
2010147607.tif 000009
【図８】
2010147607.tif 000010
【図９】
2010147607.tif 000011
【図１０】
2010147607.tif 000012